(57)【要約】      （修正有）【課題】レンズ間に介在する内遮光板の成形精度などのバラツキによって撮影レンズの組立精度が影響を受けることを防止できるようにする。【解決手段】各プラスチックレンズ３,４,５を積み重ねる際、段差凸部３ｄ，４ｄの頂部３ｆ，４ｉを段差凹部４ｈ，５ｅの受面４ｇ，５ｃに突き当てる。これにより、載置面３ａ，４ａと保持面４ｅ，５ａの間に内遮光板６，７の板厚に相当する隙間ｔ１，ｔ２が形成され、内遮光板６，７の成形誤差によって板厚にバラツキが生じても隙間ｔ１，ｔ２を一定に保つ。これにより、組み付けられた撮影レンズの組立精度が光軸方向にバラツクことなく、高精度に保つことができる。【選択図】図３
2007163657.tif 000002
【特許請求の範囲】
【請求項１】
複数のレンズと、これら各レンズの間に介在する内遮光板とを光軸方向に重ね合わせて鏡筒内に収容する撮影レンズであって、前記各レンズの重ね合わせ面にそれぞれテーパ面を有する段差凸部と段差凹部を形成し、前記各レンズを積み重ねて鏡筒内に収容する際、前記段差凸部と段差凹部のテーパ面を相互に面接触させて上下各レンズの光軸を位置合わせするとともに、対向する段差凸部と段差凹部の一部を突き当てて段差凸部と段差凹部の間に前記内遮光板を配置する隙間を形成したことを特徴とする撮影レンズ。
【請求項２】
前記下段側のレンズに前記内遮光板を載置する載置面と、この載置面の外周縁から傾斜状に立ち上がる内向きテーパ面と、この内向きテーパ面から外方に向かう段差凸面とで前記段差凸部を形成し、前記上段側のレンズには前記載置面と対向する保持面と、この保持面の外周縁から傾斜状に立ち上がる外向きテーパ面と、この外向きテーパ面から外方に向かう受面とで前記段差凹部を形成し、前記各レンズを積み重ねて鏡筒内に収容する際、前記段差凸部と段差凹部のテーパ面を相互に面接触させて上下各レンズの光軸を位置合わせするとともに、前記載置面と保持面との間に前記内遮光板の板厚に相当する隙間を形成したことを特徴とする請求項１記載の撮影レンズ。
【請求項３】
前記段差凸面の頂部を前記受面に突き当てて前記載置面と保持面との間に前記内遮光板の板厚に相当する隙間を形成したことを特徴とする請求項２記載の撮影レンズ。
【請求項４】
前記レンズが下段プラスチックレンズと、中間プラスチックレンズと、上段プラスチックレンズと、この上段プラスチックレンズの上面に配置されるガラスレンズによって構成され、その各プラスチックレンズの間に前記内遮光板が介在して配置されていることを特徴とする請求項１乃至３のいずれか１項に記載の撮影レンズ。
【請求項５】
前記内遮光板が合成樹脂によって成形されていることを特徴とする請求項１〜４のいずれか１項に記載の撮影レンズ。
【請求項６】
前記テーパ面の仮想延長線の交点が鏡筒と同一軸線上であることを特徴とする請求項１乃至５のいずれか１項に記載の撮影レンズ。
【請求項７】
請求項１乃至６のいずれかに記載の撮影レンズを用いたことを特徴とする光学機器。
【発明の詳細な説明】
【技術分野】
【０００１】
本発明は、複数のレンズを光軸方向に重ね合わせて鏡筒内に収容した撮影レンズ及び撮影レンズを用いた光学機器、特に、複数のレンズを鏡筒内に積み重ねるようして収容する際、積み重ねたレンズの組立誤差を可及的に抑えることが可能な撮影レンズ及び撮影レンズを用いたカメラ、デジタルカメラ、移動体通信装置等の光学機器に関する。
【背景技術】
【０００２】
従来から、プラスチックレンズとガラスレンズを含む複数のレンズを鏡筒内に固定した撮影レンズが知られており、例えば、本願出願人は特許文献１で複数のレンズを光軸方向に互いに当接させて重ね合わせることにより、光学的または物理的に向き合う互いのレンズ間の位置関係を決定することが可能なレンズの位置決め方法並びに該方法を適用した光学機器を提案している。これは、図４に示すように、撮影レンズは、鏡筒５１、プラスチック製前段レンズ５２、弾性を有する内遮光板５３、中間レンズ５４、弾性を有するレンズ規制部材５５、プラスチック製後段レンズ５７、内遮光板５６、固定保持部材５８から構成されている。
【０００３】
【特許文献１】特開２００２−２８６９８７号公報
【発明の開示】
【発明が解決しようとする課題】
【０００４】
図４に示す撮影レンズは、組み立てに際し、鏡筒５１に対し、前段レンズ５２、内遮光板５３、中間レンズ５４、レンズ規制部材５５、内遮光板５６、後段レンズ５７、固定保持部材５８を順次挿入する。この時、前段レンズ５２のテーパ面５２ａと後段レンズ５７のテーパ面５７ａを面当接させることによって、各レンズ５２,５７の光軸Ｓが位置を合わせされるが、これらテーパ面５２ａ,５７ａの重ね合わせ部において、一方のテーパ面５２ａの先端部と他方のテーパ面５７ａの基端縁とが離れ、隙間ｔが形成され、各レンズ５２,５４,５７の間に介在される内遮光板５３,５６は各レンズ５２,５４,５７で挟着されることになる。しかし、内遮光板５３,５６は成形加工が容易なプラスチックなどの合成樹脂によって成形され、比較的剛性の低い素材で成形され、各レンズ５２,５４,５７から受ける押圧力によって厚みが狂い易いばかりでなく、成形誤差などに起因して内遮光板５３,５６の厚みもバラツキが生じ易い。このため、図４のように、一方のテーパ面５２ａの先端部と他方のテーパ面５７ａの基端縁とに隙間ｔが生じる構造では、組み付けられた撮影レンズの組立精度を保つことが困難であり、このような組立精度のバラツキによって組み立てた撮影レンズの光学的性能にも影響を与える、という課題を有していた。
【０００５】
本発明は、以上のような事情に鑑みなされたもので、複数のレンズが鏡筒内に位置決め固定される撮影レンズにおいて、レンズ間に介在する内遮光板の成形精度などのバラツキによって撮影レンズの組立精度が影響を受けることなく、高精度に確実に行うことができる撮影レンズ及びそれを用いた光学機器を提供することを目的とする。
【課題を解決するための手段】
【０００６】
請求項１記載の撮影レンズは、複数のレンズと、これら各レンズの間に介在する内遮光板とを光軸方向に重ね合わせて鏡筒内に収容する撮影レンズであって、前記各レンズの重ね合わせ面に、それぞれテーパ面を有する段差凸部と段差凹部を形成し、前記各レンズを積み重ねて鏡筒内に収容する際、前記段差凸部と段差凹部のテーパ面を相互に面接触させて上下各レンズの光軸を位置合わせするとともに、対向する段差凸部と段差凹部の一部を突き当てて段差凸部と段差凹部の間に前記内遮光板を配置する隙間を形成したことを特徴とする。
【０００７】
請求項２記載の撮影レンズは、請求項１記載の撮影レンズにおいて、前記下段側のレンズに前記内遮光板を載置する載置面と、この載置面の外周縁から傾斜状に立ち上がる内向きテーパ面と、この内向きテーパ面から外方に向かう段差凸面とで前記段差凸部を形成し、前記上段側のレンズには前記載置面と対向する保持面と、この保持面の外周縁から傾斜状に立ち上がる外向きテーパ面と、この外向きテーパ面から外方に向かう受面とで前記段差凹部を形成し、前記各レンズを積み重ねて鏡筒内に収容する際、前記段差凸部と段差凹部のテーパ面を相互に面接触させて上下各レンズの光軸を位置合わせするとともに、前記載置面と保持面との間に前記内遮光板の板厚に相当する隙間を形成したことを特徴とする
【０００８】
請求項３記載の撮影レンズは、請求項２記載の撮影レンズにおいて、前記段差凸面の頂部を前記受面に突き当てて前記載置面と保持面との間に前記内遮光板の板厚に相当する隙間を形成したことを特徴とする。
【０００９】
請求項４記載の撮影レンズは、請求項１乃至３のいずれか１項に記載の撮影レンズにおいて、前記レンズが下段プラスチックレンズと、中間プラスチックレンズと、上段プラスチックレンズと、この上段プラスチックレンズの上面に配置されるガラスレンズによって構成され、その各プラスチックレンズの間に前記内遮光板が介在して配置されていることを特徴とする。
【００１０】
請求項５記載の撮影レンズは、請求項１〜４のいずれか１項に記載の撮影レンズにおいて、前記内遮光板が合成樹脂によって成形されていることを特徴とする。
【００１１】
請求項６記載の撮影レンズは、請求項１乃至５のいずれか１項に記載の撮影レンズにおいて、前記テーパ面の仮想延長線の交点が鏡筒と同一軸線上であることを特徴とする。
【００１２】
請求項７記載の光学機器は、請求項１乃至６のいずれかに記載の撮影レンズを用いたことを特徴とする。
【発明の効果】
【００１３】
請求項１記載の撮影レンズは、複数のレンズと、これら各レンズの間に介在する内遮光板とを光軸方向に重ね合わせて鏡筒内に収容する撮影レンズであって、前記各レンズの重ね合わせ面に、それぞれテーパ面を有する段差凸部と段差凹部を形成し、前記各レンズを積み重ねて鏡筒内に収容する際、前記段差凸部と段差凹部のテーパ面を相互に面接触させて上下各レンズの光軸を位置合わせするとともに、対向する段差凸部と段差凹部の一部を突き当てて段差凸部と段差凹部の間に前記内遮光板を配置する隙間を形成したものであるから、内遮光板の成形誤差によって板厚にバラツキが生じても段差凸部と段差凹部との間に内遮光板を配置する隙間を確実に確保でき、組み付けられた撮影レンズの組立精度が光軸方向にバラツクことなく、高精度に保つことができる。
【００１４】
請求項２記載の撮影レンズによれば、請求項１記載の撮影レンズにおいて、前記下段側のレンズに前記内遮光板を載置する載置面と、この載置面の外周縁から傾斜状に立ち上がる内向きテーパ面と、この内向きテーパ面から外方に向かう段差凸面とで前記段差凸部を形成し、前記上段側のレンズには前記載置面と対向する保持面と、この保持面の外周縁から傾斜状に立ち上がる外向きテーパ面と、この外向きテーパ面から外方に向かう受面とで前記段差凹部を形成し、前記各レンズを積み重ねて鏡筒内に収容する際、前記段差凸部と段差凹部のテーパ面を相互に面接触させて上下各レンズの光軸を位置合わせするとともに、前記載置面と保持面との間に前記内遮光板の板厚に相当する隙間を形成したものであるから、各レンズを積み重ねて鏡筒内に収容する際、内遮光板を載置する下段レンズ側の載置面と上段レンズ側に保持面との間に内遮光板を配置する隙間を確実に確保することができる。
【００１５】
請求項３記載の撮影レンズによれば、請求項２記載の撮影レンズにおいて、前記段差凸面の頂部を前記受面に突き当てて前記載置面と保持面との間に前記内遮光板の板厚に相当する隙間を形成したものであるから、段差凸面の頂部を受面に突き当てることによって、遮光板を載置する下段レンズ側の載置面と上段レンズ側に保持面との間に内遮光板を配置する隙間を確実に確保することができる。
【００１６】
請求項４記載の撮影レンズによれば、請求項１乃至３のいずれか１項に記載の撮影レンズにおいて、前記レンズが下段プラスチックレンズと、中間プラスチックレンズと、上段プラスチックレンズと、この上段プラスチックレンズの上面に配置されるガラスレンズによって構成され、その各プラスチックレンズの間に前記内遮光板が介在して配置されているものであるから、前記各レンズを積み重ねて鏡筒内に収容する際、テーパ面を相互に面接触させて上下各レンズの光軸の位置合わせを確実に行えるとともに、上下のレンズ間に配置された内遮光板の厚みのバラツキによって撮影レンズの組立精度が光軸方向にバラツクことなく、高精度に保つことができる。
【００１７】
請求項５記載の撮影レンズによれば、請求項１〜４のいずれか１項に記載の撮影レンズにおいて、前記内遮光板が合成樹脂によって成形されているから、内遮光板として剛性の低い素材で形成しても、上下のレンズから受ける押圧力が内遮光板に作用しないから、内遮光板の厚みのバラツキによって撮影レンズの組立精度が光軸方向にバラツクことなく、高精度に保つことができる。
【００１８】
請求項６記載の撮影レンズによれば、請求項１乃至５のいずれか１項に記載の撮影レンズにおいて、前記テーパ面の仮想延長線の交点が鏡筒と同一軸線上であるから、各レンズの重ね合わせ面に形成するテーパ面を相互に嵌合させることによって、各レンズの光軸と鏡筒の中心軸との位置合わせが可能となる。
【００１９】
請求項７記載の光学機器によれば、請求項１乃至６のいずれかに記載の撮影レンズを用いたものであるから、光学機器における撮影レンズの調芯作業を簡略化することができる。
【発明を実施するための最良の形態】
【００２０】
以下、本発明を実施するための最良の形態としての実施例を図１〜図３を参照して説明する。もちろん、本発明は、その発明の趣旨に反さない範囲で、実施例において説明した以外のものに対しても容易に適用可能なことは説明を要するまでもない。
【００２１】
図１は、本発明の実施例による撮影レンズを断面図、図２は、図１に示す撮影レンズを示す分解図、図３はレンズの重ね合わせ部分の拡大断面図であり、本実施例の撮影レンズ１は、鏡筒２と、プラスチック材からなるプラスチックレンズ３,４,５と、この各プラスチックレンズ３,４,５の間に介在する内遮光板６,７と、上段プラスチックレンズ５上に配置されるガラスレンズ８と、固定保持部材９等から構成されている。
【００２２】
鏡筒２は全体として上下を開口した円筒状に形成され、内周底部寄り載置用フランジ部１０を中心方向に向かって一体形成している。また、開口した上部内周面には、固定保持部材９の外周面に形成する雄螺子部９ａを螺着する雌螺子部２aが形成され、前記載置用フランジ部１０に下段プラスチックレンズ３、内遮光板６、中間プラスチックレンズ４、内遮光板７、上段プラスチックレンズ５、ガラスレンズ８を順次積み重ねて鏡筒２内に収容した後、鏡筒２の雌螺子部２aに固定保持部材９の雄螺子部９ａを螺着することによって、鏡筒２に収容した下段プラスチックレンズ３、内遮光板６、中間プラスチックレンズ４、内遮光板７、上段プラスチックレンズ５を光軸方向に押える。また、固定保持部材９の中央には、ガラスレンズ８に対応する開口窓１２が形成されるとともに、その前面に設けた凹部１３に保護ガラス１４ａが嵌め込まれ、鏡筒２の下面開口部には赤外線をカットするフィルタ１４ｂが嵌め込まれている。
【００２３】
上段プラスチックレンズ５は、物体側（上面側）中央に前記ガラスレンズ８を位置決めする環状突部１５を一体形成し、像面側に凹レンズ面を有するプラスチック材からなる凸レンズで、像面側凹レンズ面から順次、第１の保持面５ａ、円錐状の外向きテーパ面５ｂ、第１の受面５ｃが同心円状に形成され、これら第１の保持面５ａ、外向きテーパ面５ｂ、第１の受面５ｃによって第１の段差凹部５ｅが形成される。
【００２４】
中間プラスチックレンズ４は、上段プラスチックレンズ５と下段プラスチックレンズ３の間に介在し、物体側が凹レンズ面、像面側に凸レンズ面を有する凸レンズである。また、中間プラスチックレンズ４の表面側は、その凹レンズ面の外周部に位置して内遮光板７を支持する第１の載置面４ａと、円錐状の内向きテーパ面４ｂ、第１の段差凸面４ｃが同心円状に形成され、これら第１の載置面４ａ、内向きテーパ面４ｂ、第１の段差凸面４ｃによって第１の段差凸部４ｄが形成されている。また、中間プラスチックレンズ４の裏面側は、凸レンズ面の外周部に位置して第２の保持面４ｅと、円錐状の外向きテーパ面４ｆと、第２の受面４ｇが同心円状に形成され、これら第２の保持面４ｅ、外向きテーパ４ｆと、第２の受面４ｇによって第２の段差凹部４ｈが形成されている。
【００２５】
下段プラスチックレンズ３は、物体側が凹レンズ面、像面側に凸レンズ面を有する凸レンズであり、凹レンズ面の外周には内遮光板６を支持する第２の載置面３ａと、円錐状の内向きテーパ面３ｂと、第２の段差凸面３ｃが同心円状に形成され、これら第２の載置面３ａと、内向きテーパ面３ｂと、第２の段差凸面３ｃによって段差凸部３ｄが形成される。また、下段プラスチックレンズ３の裏面側は、凸レンズ面の外周部に位置して前記載置用フランジ部１０に載置するための平坦面３eが形成されている。このように、各プラスチックレンズ３,４,５には、それぞれの重ね合わせ面にテーパ面３ｂ,４ｂ,４ｆ,５ｂを有する段差凸部３ｄ，４ｄと段差凹部４ｈ，５ｅがそれぞれ形成され、これら段差凸部３ｄ，４ｄと段差凹部４ｈ，５ｅを嵌合させてそれぞれのテーパ面３ｂ,４ｂ,４ｆ,５ｂを面接触させることによって、各プラスチックレンズ３,４,５の光軸Ｓの位置合わせが行われる。すなわち、各テーパ面３ｄ,４ｂ,４ｅ,５ｂの仮想延長線の交点が光軸Ｓと一致する。また、上段プラスチックレンズ５は前記鏡筒２の内周面に圧入して鏡筒２の中心と上段プラスチックレンズ５の光軸Ｓとが位置合わせされるが、他のプラスチックレンズ３,４は鏡筒２の内周面に対してクリアランスを持たせるように設定され、上段プラスチックレンズ５を除く中間、下段プラスチックレンズ３,４の外周と鏡筒２の内周面との間に僅かな隙間が形成される。
【００２６】
内遮光板６,７はプラスチックなどの合成樹脂材料などからなるシート状であって、内径部は絞り穴６ａ,７ａとして機能する。この各内遮光板６,７は、各プラスチックレンズ３,４,５の重ね合わせ面に位置する第２の載置面３ａと第２の保持面４ｅ及び第１の載置面４ａと第１の保持面５ａの間に介在される。
【００２７】
ガラスレンズ８は物体側と像面側に凸レンズ面を有する凸レンズであり、前記上段プラスチックレンズ５に形成された環状突部１５の内側に配置してガラスレンズ８に対して接着固定する。環状突部１５とガラスレンズ８との間にはガラスレンズ８の成形誤差を吸収するためのクリアランスが形成され、上段プラスチックレンズ５に対してガラスレンズ８の光軸Ｓを調芯してから接着材によって一体的に接着固定している。
【００２８】
次に、撮影レンズ１の組み立て手順について説明する。撮影レンズ１の組立に際し、図２に示すように、鏡筒２の上面開口部は開放しており、先ず上面開口部から下段プラスチックレンズ３、内遮光板６、中間プラスチックレンズ４、内遮光板７、上段プラスチックレンズ５を順次挿入して載置用フランジ部１０に載置する。この際、下段プラスチックレンズ３の第２の載置面３ａに内遮光板６を載置して中間プラスチックレンズ４を重ね合わせると、下段プラスチックレンズ３の第２の段差凸部３ｄに形成された内向きのテーパ面３ｂと中間プラスチックレンズ４の第２の段差凹部４ｈに形成された外向きのテーパ面４ｆとが嵌合し、下段プラスチックレンズ３と中間プラスチックレンズ４との光軸Ｓが位置合わせされる。また、中間プラスチックレンズ４の第１の載置面４ａに内遮光板７を載置して上段プラスチックレンズ５を重ね合わせると、中間プラスチックレンズ４の第１の段差凸部４ｄに形成された内向きのテーパ面４ｂと上段プラスチックレンズ５の第１の段差凹部５ｅに形成された外向きのテーパ面５ｂとが嵌合し、上段プラスチックレンズ５と中間プラスチックレンズ４との光軸Ｓが位置合わせ、これにより、それぞれのプラスチックレンズ３,４,５それぞれの光軸Ｓが位置合わせされる。さらに、最上部に位置する上段プラスチックレンズ５は、外周縁を鏡筒２の内周面に圧入することで鏡筒２の中心軸と上段プラスチックレンズ５の光軸Ｓが位置合わせされる。これにより、鏡筒２に挿入される各プラスチックレンズ３,４,５の光軸Ｓを調芯しながら各プラスチックレンズ３,４,５を積み重ね、最後に挿入する上段プラスチックレンズ５を鏡筒２に圧入して鏡筒２に対する各プラスチックレンズ３,４,５の光軸Ｓの調芯を行い、最終的に上段プラスチックレンズ５を鏡筒２に圧入することによって各プラスチックレンズ３,４,５を一体化する。また、前記第１及び第２の段差凸部４ｄ，３ｄと第１及び第２の段差凹部５ｅ，４ｈを嵌合させた際、第１及び第２の段差凸部４ｄ，３ｄの頂部３ｆ，４iが第１及び第２の段差凹部５ｅ，４ｈの第１及び第２の受面５ｃ，４ｇに突き当たり、第１及び第２の載置面４ａ，３ａと第１及び第２の保持面５ａ，４ｅの間には内遮光板６，７の板厚に相当する隙間ｔ１，ｔ２が形成される。この後、調芯された上段プラスチックレンズ５の環状突部１５内にガラスレンズ８を配置し、ガラスレンズ８の光軸を調整した後、接着剤によって上段プラスチックレンズ５とガラスレンズ８とを一体化する。これにより、それぞれのレンズ３,４,５,８の光軸Ｓを合わせ、かつ上段プラスチックレンズ５を基準として鏡筒２の中心軸に対して全てのレンズ３,４,５,８の光軸Ｓを合わせて調芯が完了する。この後、鏡筒２の雌螺子部２aに固定保持部材９の雄螺子部９ａを螺着することによって、鏡筒２に収容した下段プラスチックレンズ３、内遮光板６、中間プラスチックレンズ４、内遮光板７、上段プラスチックレンズ５、を光軸方向に押える。
【００２９】
以上のように、本実施例においては、鏡筒２の上面を開口させ、その開口部から順次、下段プラスチックレンズ３、内遮光板６、中間プラスチックレンズ４、内遮光板７、上段プラスチックレンズ５を順次挿入し、その各プラスチックレンズ３,４,５の重ね合わせ面に形成されたテーパ面３ｂ,４ｂ,４ｆ,５ｂによって各プラスチックレンズ３,４,５の光軸Ｓを順次、調芯しながら鏡筒２の載置用フランジ部１０上に積み重ね、最後に挿入する上段プラスチックレンズ５を鏡筒２に圧入することによって、鏡筒２に対する各プラスチックレンズ３,４,５の光軸Ｓの調芯を行うことができ、このように、鏡筒２に対して各プラスチックレンズ３,４,５の調芯作業が完了した状態で上段プラスチックレンズ５に対してガラスレンズ８の光軸Ｓの位置合わせ行って調芯することができる。
【００３０】
また、各プラスチックレンズ３,４,５を積み重ねる際、第１及び第２の段差凸部４ｄ，３ｄと第１及び第２の段差凹部５ｅ，４ｈの嵌合時において、第１及び第２の段差凸部４ｄ，３ｄの頂部３ｆ，４iが第１及び第２の段差凹部５ｅ，４ｈの第１及び第２の受面５ｃ，４ｇに突き当たり、第１及び第２の載置面４ａ，３ａと第１及び第２の保持面５ａ，４ｅの間には内遮光板６，７の板厚に相当する隙間ｔ１，ｔ２が形成されているため、内遮光板６，７の成形誤差による板厚にバラツキあるいは各レンズ３,４,５から受ける押圧力による内遮光板６，７の撓みによって、隙間ｔ１，ｔ２は変わらないから、組み付けられた撮影レンズの組立精度が光軸方向にバラツクことなく、高精度に保つことができる。
【００３１】
以上、本発明の実施例について詳述したが、本発明は、前記実施例に限定されるものではなく、本発明の要旨の範囲内で種々の変形実施が可能である。例えば、各レンズの形状や各レンズの光軸を合わせるために嵌合構造やレンズの枚数やレンズの押え構造といった基本的構成は適宜選定すればよい。また、各プラスチックレンズを位置決めする段差凹部と段差凸部の形状なども適宜選定すればよい。
【図面の簡単な説明】
【００３２】
【図１】本発明の一実施例を示す撮影レンズの断面図である。
【図２】同上、構成部品の分解状態を示す一部を省略した断面図である。
【図３】同上、レンズの重ね合わせ部分の拡大断面図である。
【図４】従来例を示す撮影レンズの断面図である。
【符号の説明】
【００３３】
１    撮影レンズ
２    鏡筒
３,４,５    プラスチックレンズ
３ａ    第２の載置面
３ｂ    内向きテーパ面
３ｃ    第２の段差凸面
３ｄ    第２の段差凸部
３ｆ，４i  頂部
４ａ    第１の載置面
４ｂ    内向きテーパ面
４ｃ    第１の段差凸面
４ｄ    第１の段差凸部
４ｅ    第２の保持面
４ｆ    外向きテーパ面
４ｇ    第２の受面
４ｈ    第２の段差凹部
５ａ    第１の保持面
５ｂ    外向きテーパ面
５ｃ    第１の受面
５ｅ    第１の段差凹部
６,７    内遮光板
８    ガラスレンズ
Ｓ  光軸
ｔ１，ｔ２  隙間
【図１】
2007163657.tif 000003
【図２】
2007163657.tif 000004
【図３】
2007163657.tif 000005
【図４】
2007163657.tif 000006